【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
合焦レンズを介して被検眼の眼底を撮影する撮影光学系と、
開口部を含むマスク部を介して前記開口部に対応する複数の合焦用指標を投影する投影手段と、
前記被検眼の眼底画像において複数の合焦用指標像があるか、１つの合焦用指標像があるかを検出する検出手段と、
前記眼底画像において前記複数の合焦用指標像が検出された場合には前記マスク部の前記開口部に対応する前記複数の合焦用指標像の位置に基づいて前記合焦レンズを光路に沿って駆動し、前記眼底画像において前記１つの合焦用指標像が検出された場合には前記マスク部に対応する像の位置と前記開口部に対応する前記１つの合焦用指標像の位置とに基づいて前記合焦レンズを前記光路に沿って駆動する駆動手段と、
を有することを特徴とする眼科装置。
【請求項２】
前記駆動手段は、前記眼底画像において前記複数の合焦用指標像が検出された場合には、前記複数の合焦用指標像が所定の位置関係となるように、前記合焦レンズを前記光路に沿って駆動することを特徴とする請求項１に記載の眼科装置。
【請求項３】
前記被検眼の眼底と前記投影手段とが光学的に共役である場合に、前記複数の合焦用指標像が前記所定の位置関係となることを特徴とする請求項２に記載の眼科装置。
【請求項４】
前記駆動手段は、前記投影手段の位置を前記合焦レンズの位置と連動して変更することを特徴とする請求項１乃至３のいずれか１項に記載の眼科装置。
【請求項５】
前記被検眼の眼底を照明する照明光学系を更に備え、
前記投影手段は、前記照明光学系の光路中に挿脱可能に配置されていることを特徴とする請求項１乃至４のいずれか１項に記載の眼科装置。
【請求項６】
前記眼底画像において前記１つの合焦用指標像が検出された場合には、前記眼底画像において前記複数の合焦用指標像が検出された場合に対して前記投影手段を照らす照度を上げることを特徴とする請求項１乃至５のいずれか１項に記載の眼科装置。
【請求項７】
前記駆動手段は、前記投影手段と前記撮影光学系における撮像手段とが光学的に略共役になるように、前記被検眼の眼底画像における前記マスク部に対応する像の位置と前記開口部に対応する合焦用指標像の位置とに基づいて、前記合焦レンズを光路に沿って駆動することを特徴とする請求項１乃至６のいずれか１項に記載の眼科装置。
【請求項８】
前記投影手段は、前記マスク部における前記開口部に配置した互いに対称な角度のプリズム面を有するプリズムと、を有し、
プリズム面を透過した光束は前記マスク部の矩形状の前記開口部を通過し複数の合焦用指標として前記眼底に投影されることを特徴とする請求項１乃至７のいずれか１項に記載の眼科装置。
【請求項９】
合焦レンズを介して被検眼の眼底を撮影する撮影光学系と、
開口部を含むマスク部を介して前記開口部に対応する１つの合焦用指標を投影する投影手段と、
前記被検眼の眼底画像における前記マスク部に対応する像の位置と前記開口部に対応する１つの合焦用指標像の位置とに基づいて前記合焦レンズを光路に沿って駆動する駆動手段と、
を有することを特徴とする眼科装置。
【請求項１０】
前記眼底画像から前記マスク部の領域の位置と前記１つの合焦用指標の位置との位置関係に基づいて、前記駆動手段に駆動信号を出力する合焦制御手段を更に有することを特徴とする請求項１乃至９のいずれか１項に記載の眼科装置。
【請求項１１】
前記マスク部に対応する像の略中心の位置と前記開口部に対応する前記１つの合焦用指標像の位置とが一致するように、前記駆動手段に駆動信号を出力する合焦制御手段を更に有することを特徴とする請求項１乃至９のいずれか１項に記載の眼科装置。
【請求項１２】
合焦レンズを介して被検眼の眼底を撮影する撮影光学系と、開口部を含むマスク部を介して前記開口部に対応する複数の合焦用指標を投影する投影手段と、を有する眼科装置の制御方法であって、
前記被検眼の眼底画像において複数の合焦用指標像があるか、１つの合焦用指標像があるかを検出する工程と、
前記眼底画像において前記複数の合焦用指標像が検出された場合には前記マスク部の前記開口部に対応する前記複数の合焦用指標像の位置に基づいて前記合焦レンズを光路に沿って駆動する工程と、
前記眼底画像において前記１つの合焦用指標像が検出された場合には前記マスク部に対応する像の位置と前記開口部に対応する前記１つの合焦用指標像の位置とに基づいて前記合焦レンズを前記光路に沿って駆動する工程と、
を有することを特徴とする眼科装置の制御方法。
【請求項１３】
前記眼底画像において前記複数の合焦用指標像が検出された場合には、前記複数の合焦用指標像が所定の位置関係となるように、前記合焦レンズが前記光路に沿って駆動されることを特徴とする請求項１２に記載の眼科装置の制御方法。
【請求項１４】
合焦レンズを介して被検眼の眼底を撮影する撮影光学系と、開口部を含むマスク部を介して前記開口部に対応する１つの合焦用指標を投影する投影手段と、を有する眼科装置の制御方法であって、
前記被検眼の眼底画像における前記マスク部に対応する像の位置と前記開口部に対応する１つの合焦用指標像の位置とに基づいて前記合焦レンズを光路に沿って駆動する工程を有することを特徴とする眼科装置の制御方法。
【請求項１５】
前記眼底画像から前記マスク部の領域の位置と前記１つの合焦用指標の位置との位置関係に基づいて、駆動信号を出力する工程を更に有することを特徴とする請求項１２乃至１４のいずれか１項に記載の眼科装置の制御方法。
【請求項１６】
前記マスク部に対応する像の略中心の位置と前記開口部に対応する前記１つの合焦用指標像の位置とが一致するように、駆動信号を出力する工程を更に有することを特徴とする請求項１２乃至１４のいずれか１項に記載の眼科装置の制御方法。
【請求項１７】
請求項１２乃至１６のいずれか１項に記載の眼科装置の制御方法をコンピュータに実行させることを特徴とするプログラム。
【手続補正２】
【補正対象書類名】明細書
【補正対象項目名】０００６
【補正方法】変更
【補正の内容】
【０００６】
本発明による眼科装置の一つは、
合焦レンズを介して被検眼の眼底を撮影する撮影光学系と、
開口部を含むマスク部を介して前記開口部に対応する複数の合焦用指標を投影する投影手段と、
前記被検眼の眼底画像において複数の合焦用指標像があるか、１つの合焦用指標像があるかを検出する検出手段と、
前記眼底画像において前記複数の合焦用指標像が検出された場合には前記マスク部の前記開口部に対応する前記複数の合焦用指標像の位置に基づいて前記合焦レンズを光路に沿って駆動し、前記眼底画像において前記１つの合焦用指標像が検出された場合には前記マスク部に対応する像の位置と前記開口部に対応する前記１つの合焦用指標像の位置とに基づいて前記合焦レンズを前記光路に沿って駆動する駆動手段と、を有する。
【手続補正３】
【補正対象書類名】明細書
【補正対象項目名】０００７
【補正方法】変更
【補正の内容】
【０００７】
また、本発明による眼科装置の制御方法の一つは、
合焦レンズを介して被検眼の眼底を撮影する撮影光学系と、開口部を含むマスク部を介して前記開口部に対応する複数の合焦用指標を投影する投影手段と、を有する眼科装置の制御方法であって、
前記被検眼の眼底画像において複数の合焦用指標像があるか、１つの合焦用指標像があるかを検出する工程と、
前記眼底画像において前記複数の合焦用指標像が検出された場合には前記マスク部の前記開口部に対応する前記複数の合焦用指標像の位置に基づいて前記合焦レンズを光路に沿って駆動する工程と、
前記眼底画像において前記１つの合焦用指標像が検出された場合には前記マスク部に対応する像の位置と前記開口部に対応する前記１つの合焦用指標像の位置とに基づいて前記合焦レンズを前記光路に沿って駆動する工程と、を有する。